(57)【要約】【課題】  現在実行中の処理中情報と現在位置情報を含むプレゼンス情報を、所定の通知先へ自動的に送信することが可能な無線端末を提供する。【解決手段】  検出対象イベント登録部１７に登録されているアプリケーションソフトウェアの起動／停止等に係る検出対象イベントが発生した場合に、端末制御部１０は、プレゼンス情報生成部１８を起動し、位置情報取得部１３が取得した本装置１の現在位置情報と発生したイベント情報を含む、本装置１の現在位置と動作状況に係るプレゼンス情報を生成し、プレゼンスサーバ５等へ送信すると共に、プレゼンス履歴蓄積部１９に記録する。【選択図】  図１
2015100089.tif 000002
【特許請求の範囲】
【請求項１】
自無線端末が現在実行している通信処理機能または情報処理機能に係る処理中情報と、自無線端末が現在存在している現在位置情報を含む、自無線端末に係るプレゼンス情報を所定の通知先へ送信する機能を有する無線端末であって、
前記現在位置情報を検出する現在位置検出手段と、前記通信処理機能または前記情報処理機能の起動もしくは停止もしくは所定の処理の実行に係る検出すべき検出対象イベントを予め登録しておく検出対象イベント登録手段と、前記検出対象イベント登録手段に登録されている検出対象イベントの発生を検出するイベント検出手段と、前記イベント検出手段が検出したイベントに係る情報と前記現在位置検出手段が検出した現在位置情報を含む自無線端末に係るプレゼンス情報を生成するプレゼンス情報生成手段と、前記プレゼンス情報生成手段が生成したプレゼンス情報を所定の通知先へ送信するプレゼンス情報送信手段と、を有することを特徴とするプレゼンス情報送信機能を有する無線端末。
【請求項２】
請求項１に記載の無線端末であって、
前記イベント検出手段が検出した検出対象イベントをプレゼンス履歴情報として、現在位置情報および現在日時と対応付けて蓄積するプレゼンス履歴蓄積手段をさらに有し、
所定の送信元からプレゼンス情報の送信を要求するプレゼンス情報送信要求を受信した場合に、前記プレゼンス情報生成手段は、前記イベント検出手段が検出した現在処理中のイベントまたは最新のイベントに係る情報と前記現在位置検出手段が検出した現在位置情報を含む自無線端末に係るプレゼンス情報を生成し、前記プレゼンス情報送信手段は、前記プレゼンス情報生成手段が生成したプレゼンス情報を、前記プレゼンス情報送信要求の送信元または前記送信元が指定する送信先へ送信することを特徴とするプレゼンス情報送信機能を有する無線端末。
【発明の詳細な説明】
【技術分野】
【０００１】
本発明は、自無線端末が備える機能の動作状態に係る情報と、自無線端末が現在存在している位置情報を、自無線端末に係るプレゼンス情報として所定の通知先へ自動的に送信する機能を有する無線端末に関する。
【背景技術】
【０００２】
携帯端末等において、アプリケーションプログラムの起動等のプレゼンス状態をリアルタイムに相互に通知し合うことが可能な携帯端末に係る技術がある（例えば、特許文献１）。この技術は、例えば、音声処理を伴うアプリケーションプログラムを実行している最中、自端末のプレゼンス状態を「音声応答不可」に設定し、他の音声処理を伴うアプリケーションプログラムの起動が不可である旨を、自端末にアクセスしてきた他端末に通知するものである。これにより、音声処理等に係るリソース競合を事前に回避でき、携帯端末間の効率的なリアルタイム通信を可能とするものである。
【０００３】
しかしながら、特許文献１に記載された技術は、携帯端末間の効率的なリアルタイム通信の実現を目的とするものであって、携帯端末が存在している場所および携帯端末自体の動作状態を加味した、携帯端末自体の置かれた状況や動作状況を、所定の宛先へ通知するものではない。
【先行技術文献】
【特許文献】
【０００４】
【特許文献１】特開２００８−１４７９４４公報
【発明の概要】
【発明が解決しようとする課題】
【０００５】
本発明の課題は、現在実行中の機能に係る処理中情報と現在位置情報を含むプレゼンス情報を、適宜、所定の通知先へ自動的に送信することを可能とする無線端末を提供することにある。
【課題を解決するための手段】
【０００６】
上記課題を解決するために、本発明は、自無線端末が現在実行している通信処理機能または情報処理機能に係る処理中情報と、自無線端末が現在存在している現在位置情報を含む、自無線端末に係るプレゼンス情報を所定の通知先へ送信する機能を有する無線端末であって、前記現在位置情報を検出する現在位置検出手段と、前記通信処理機能または前記情報処理機能の起動もしくは停止もしくは所定の処理の実行に係る検出すべき検出対象イベントを予め登録しておく検出対象イベント登録手段と、前記検出対象イベント登録手段に登録されている検出対象イベントの発生を検出するイベント検出手段と、前記イベント検出手段が検出したイベントに係る情報と前記現在位置検出手段が検出した現在位置情報を含む自無線端末に係るプレゼンス情報を生成するプレゼンス情報生成手段と、前記プレゼンス情報生成手段が生成したプレゼンス情報を所定の通知先へ送信するプレゼンス情報送信手段と、を有することを特徴とする。
【発明の効果】
【０００７】
本発明によれば、現在実行中の処理中情報と現在位置情報を含むプレゼンス情報を、適宜、所定の通知先へ自動的に送信することが可能な無線端末を提供することが出来る。
【０００８】
例えば、この無線端末を社員が所持して出張した場合、当該社員の同僚や上司は、当該社員が現在何処で何をしているのかの、おおよその状況を把握できる効果がある。また、当該社員にとっても、逐一上司等に報告しなくてもよいので、出張中の報告処理を軽減できる効果がある。さらに、このプレゼンス情報の通知は、何らかのイベントが発生した時にのみ送信する非定期な送信なので、定期的にプレゼンス情報を送信する場合に比べ、端末の消費電力を抑えることが出来る。
【図面の簡単な説明】
【０００９】
【図１】本発明の実施形態に係る無線端末の内部ブロック図および全体図
【図２】プレゼンス履歴蓄積部１９に蓄積されているプレゼンス履歴情報の例
【図３】本発明の実施形態に係るプレゼンス自動通知機能の動作フローチャート
【発明を実施するための形態】
【００１０】
以下、本発明の実施形態（実施例）について、図面を用いて説明する。図１は、本発明を適用した無線端末の内部ブロック図および全体図である。１は本発明を適用した無線端末（以下、本端末と略す）、２はＷＡＮ（Ｗｉｄｅ  Ａｒｅａ  Ｎｅｔｗｏｒｋ）、３は本端末１を所持する社員が勤務するオフィス、４はＷＡＮ２とＬＡＮ７とを繋ぐゲートウェイ、５は各社員のプレゼンス情報（現在の状況）を管理するプレゼンスサーバ、６はオフィス２内のパーソナルコンピュータ（例えば、本端末１を所持する社員の上司の机上に設置されたパーソナルコンピュータ）、７はＬＡＮ（Ｌｏｃａｌ  Ａｒｅａ  Ｎｅｔｗｏｒｋ）である。
【００１１】
まず、本端末１を含む全体の動作について説明する。本端末１は所定のイベント（後述）が発生する毎に、本端末１の現在位置情報と発生したイベントに係る情報を含むプレゼンス情報をプレゼンスサーバ５へ送信する。プレゼンスサーバ５は各社員が所持する本端末１（複数）、またはパーソナルコンピュータ６（複数）、またはその他の端末（図示せず）から送信されてくるプレゼンス情報を蓄積しており、パーソナルコンピュータ６により所望のプレゼンス情報を閲覧することが出来る。なお、プレゼンス情報は、機密情報やプライバシー情報を含んでいるので、その情報へのアクセスには、所定の制限，セキュリティロックが掛るが、その実現手段としては、一般的なアクセス制限技術が適用可能であり、その説明は省略する。
【００１２】
以下、本端末１の構成および動作について説明する。本端末１は、通信機能および情報処理機能を備えた携帯端末であって、例えば、電子メール機能や、参考文書等の情報蓄積表示機能を備えた、携帯電話端末，スマートホン，携帯型パーソナルコンピュータ等である。特に、ＧＰＳ（Ｇｌｏｂａｌ  Ｐｏｓｉｔｉｏｎｉｎｇ  Ｓｙｓｔｅｍ）機能を備えた携帯電話端末やスマートホンは、本発明の適用対象として好適である。
【００１３】
本端末１は、端末制御部１０、無線通信部１１、アプリケーションソフト蓄積部１２、位置情報取得部１３、操作部１４、表示部１５、通話部１６、検出対象イベント登録部１７、プレゼンス情報生成部１８、プレゼンス履歴蓄積部１９から構成される。
【００１４】
端末制御部１０は、本端末１内の各部を制御すると共に、アプリケーションソフト蓄積部１２に蓄積されている各アプリケーションソフトウェアに従って、各部間のデータを処理，中継し、本端末１の機能の全体を制御する手段である。なお、電話端末や情報端末に係る一般的な機能の制御については説明を省略する。
【００１５】
無線通信部１１は、ＷＡＮ２へデータを送信するまたはＷＡＮ２からデータを受信する手段であって、端末制御部１０とＷＡＮ２の間でデータを中継する。
【００１６】
アプリケーションソフト蓄積部１２は、本端末１の通信処理機能や情報処理機能を実行する、本端末１にインストールされている複数のアプリケーションソフトウェアを蓄積する手段である。各アプリケーションソフトウェアは、端末制御部１０からの制御により、起動，停止する。
【００１７】
位置情報取得部１３は、一般的な携帯電話端末と同様なＧＰＳ機能を内蔵しており、定期的に（例えば、５分毎）、または所定のイベント（後述）が発生する毎に、本端末１が現在存在している現在位置情報を取得し、取得した現在位置情報を端末制御部１０へ出力する手段である。
【００１８】
操作部１４は、本端末１を操作する者がキー操作する手段であって、入力されたキー操作情報を端末制御部１０へ出力する。操作部１４は、電話番号を入力するテンキー、短縮ダイヤルキー、各種機能の起動に係るファンクションキー等を備えている。操作部１４は、表示部１５と一体化されたタッチパネルであってもよい。
【００１９】
表示部１５は、端末制御部１０から出力される情報をＬＣＤ（Ｌｉｑｕｉｄ  Ｃｒｙｓｔａｌ  Ｄｉｓｐｌａｙ），ＬＥＤ（Ｌｉｇｈｔ  Ｅｍｉｔｔｉｎｇ  Ｄｉｏｄｅ），ＥＬ（Ｅｌｅｃｔｒｏ  Ｌｕｍｉｎｅｓｃｅｎｃｅ），ＥＣＤ（Ｅｌｅｃｔｒｏ  Ｃｈｒｏｍｉｃ  Ｄｉｓｐｌａｙ）等の表示デバイスによる表示手段であり、電話番号，電子メール，操作ガイダンス，アラーム等の一般的な通信処理や情報処理に係る情報、および、起動されているアプリケーションソフトウェアにより提示される各種のデータや情報等を表示する。
【００２０】
検出対象イベント登録部１７は、検出すべきイベントの条件を登録しておく手段である。端末制御部１０は、検出対象イベント登録部１７を参照して、プレゼンス情報を通知すべきイベントが発生したか否かを判断する。
【００２１】
検出すべきイベントの条件は、本端末１が備える通信処理機能または情報処理機能に係るイベントであって、アプリケーションソフト蓄積部１２に蓄積されている電話機能や電子メール機能やその他の通信処理機能もしくは情報処理機能を含む、複数のアプリケーションソフトウェアのいずれかが起動または停止された場合や、前記複数のアプリケーションソフトウェアのいずれかが所定の処理を実行したか否かに係るイベントの条件である。
【００２２】
複数のアプリケーションソフトウェアのいずれかが起動または停止された場合のイベントとしては、例えば、特定のプレゼンテーション資料を表示するプレゼンテーションソフトウェアの起動を登録しておけば、そのソフトウェアの起動／停止を含むプレゼンス情報（現在位置情報を含む）を受信した側は、本端末１を所持する者が予定通り、訪問先で商品説明を実施中か否かの状況を推定できる。
【００２３】
また、前記複数のアプリケーションソフトウェアのいずれかが所定の処理を実行した場合等のイベントとしては、例えば、特定の顧客への電話発信または電子メールの送信の実行を登録しておけば、その処理を実行した旨のプレゼンス情報（現在位置情報を含む）を受信した側は、スケジュール表（図示せず）と本端末１の現在位置および現在日時から、本端末１を所持する者の訪問先への訪問が予定通りか否か、または予定より遅れている場合でも、電話または電子メールで何らかの対応をしているか否か等の状況を推定できる。
【００２４】
なお、検出対象イベント登録部１７には、プレゼンス情報の通知先も登録されており、本実施例ではプレゼンスサーバ５を通知先としているが、プレゼンス情報の通知先として、登録するイベント毎に異なる通知先を登録してもよい。さらに、プレゼンス情報の読み取りを許可するＩＤやパスワードを登録するようにしてもよい。
【００２５】
プレゼンス情報生成部１８は、端末制御部１０から通知される発生した（検出した）イベント情報と現在位置情報を含む、所定のフォーマットのプレゼンス情報を生成し、生成したプレゼンス情報を端末制御部１０へ出力する手段である。
【００２６】
プレゼンス履歴蓄積部１９は、プレゼンス情報生成部１８が生成したプレゼンス情報とその付帯情報（後述）を蓄積する手段である。
【００２７】
図２は、プレゼンス履歴蓄積部１９に蓄積されているプレゼンス履歴情報の例を模式的に表した図である。列２００は時系列なレコード番号、列２０１はイベント発生時の日時、列２０２はイベントが発生した時の位置情報、列２０３は発生したイベント内容、列２０４は発生したイベントの付帯情報、列２０５は発生したイベントの処理結果、列２０６は発生したイベントに対応するプレゼンス情報を通知したか否かの情報である。
【００２８】
例えば、レコード番号１の行は、“１１月８日１０時３０分”（列２０１）に、”Ａ社近傍”（列２０２）において“電話発信”（列２０３）が為され、その“発信先はＡ社のＸ氏”（列２０４）であったが、相手不応答等のために“通話不成立”（列２０５）であったことを示している。
【００２９】
列２０６で  “非”と記録されている行は、その行のイベントはプレゼンス情報の通知対象ではないことを示している。また、列２０６で  “済”と記録されている行は、その行のイベントはプレゼンス情報の通知対象であって、プレゼンスサーバ５への送信が正常に完了していることを示している。
【００３０】
なお、プレゼンス情報の通知対象であって、プレゼンスサーバ５への送信が正常に完了していない場合、列２０６には、“非”，“済”のいずれも記録されず、ブランクとなるが（図示せず）、一定時間後の自動再送信、または次のイベントが発生した時に次のプレゼンス情報の送信と併せての送信により、いずれ“済”が記録される。
【００３１】
図２の例で、通知済のレコード番号２，３，５，６，７の行の内容はプレゼンスサーバ５に記憶されており、それを見た者（例えば、上司）は、本端末１を所持して移動している者（例えば、営業マン）が、Ａ社およびＢ社を回って、何らかのプレゼンテーション（例えば、商品紹介）を実施したことが分かる。
【００３２】
このように、本端末１は、検出対象イベント登録部１７に登録されている検出対象のイベントが発生する毎に、当該イベントに関するプレゼンス情報をプレゼンスサーバ５へ自動的に送信するので、例えば、この無線端末を社員が所持して出張している場合、当該社員の上司は、当該社員が現在何処で何をしているのかの、おおよその状況を把握できる。また、当該社員にとっても、逐一上司に報告しなくてもよいので、出張中の報告処理を軽減できる。さらに、このプレゼンス情報の通知は、何らかのイベントが発生した時にのみに通知する非定期な通知なので、定期的にプレゼンス情報を通知する場合に比べ、端末の消費電力を抑えることが出来る。
【００３３】
なお、例えば、上司が本端末１を所持する部下の現在の状況を、プレゼンスサーバ５を介さずに知りたい場合は、プレゼンス情報の送信要求を本端末１へ送信し、本端末１がその要求に応答して、現在位置情報や処理中のイベント情報を含むプレゼンス情報を送信するようにすればよい。
【００３４】
図３は、本発明の実施形態に係るプレゼンス自動通知機能の動作フローチャートである。以下、図１および図２を併用して、本フローを説明する。なお、プレゼンス自動通知機能以外の本端末１の動作は、一般的な無線端末と同様なので、プレゼンス自動通知機能以外の動作フローの説明は割愛する。
【００３５】
本フローは、プレゼンス自動通知機能が起動されている状態でスタートし（Ｓ３００）、待機状態において、検出対象イベント登録部１７に登録されているイベントが発生したか否か（Ｓ３１０）、および所定の要求元（例えば、検出対象イベント登録部１７に登録されている通知先）からプレゼンス情報の送信要求を受信したか否か（Ｓ３２０）を、循環して監視する。
【００３６】
検出対象イベント登録部１７に登録されている検出対象イベントが発生した場合（Ｓ３１０、ＹＥＳ）、端末制御部１０は、位置情報取得部１３を起動し、本端末１が現在存在している現在位置情報を取得し（Ｓ３１１）、検出対象イベント登録部１７のプレゼンス通知対象欄（図示せず）を参照して、発生したイベントがプレゼンス通知対象のイベントか否かを判定する（Ｓ３３０）。
【００３７】
プレゼンス通知対象のイベントであった場合（Ｓ３３０、ＹＥＳ）、端末制御部１０は、プレゼンス情報生成部１８を起動し、発生したイベント情報と現在位置情報を含む本端末１に係るプレゼンス情報を生成させ、プレゼンス情報生成部１８が生成したプレゼンス情報を、無線通信部１１を介して、プレゼンスサーバ５側へ送信する（Ｓ３３１）。プレゼンス通知対象のイベントではない場合（Ｓ３３０、ＮＯ）、プレゼンス履歴蓄積部１９の通知欄（図２の列２０６）に“非”を記録し、Ｓ３４０へ進む。
【００３８】
プレゼンスサーバ５への送信が正常に完了した場合は（Ｓ３３２、ＹＥＳ）、プレゼンス履歴蓄積部１９の通知欄（図２の列２０６）に“済”を記録し（Ｓ３３３）、Ｓ３３４へ進む。プレゼンスサーバ５への送信をＮ回（例えば、１分毎に３回）リトライしても、プレゼンスサーバ５への送信が正常に完了しない場合（Ｓ３３２、ＮＯ）、Ｓ３３３以降をスキップして、Ｓ３４０へ進む。
【００３９】
Ｓ３３４において、送信未了のプレゼンス情報が残存していれば（Ｓ３３４，ＹＥＳ）、その送信未了のプレゼンス情報をプレゼンスサーバ５へ送信し、当該イベントのレコードの通知欄（図２の列２０６）に“済”を記録し（Ｓ３３５）、Ｓ３４０へ進む。送信未了のプレゼンス情報が無ければ（Ｓ３３４，ＮＯ）、Ｓ３３５をスキップして、Ｓ３４０へ進む。
【００４０】
発生したイベントの関連動作が完了すると（Ｓ３４０，ＹＥＳ）、端末制御部１０は、当該イベントがプレゼンス通知の対象か否かに関わらず、完了したイベント情報（当該イベントに対する処理結果を含む）と、現在位置情報をプレゼンス履歴情報としてプレゼンス履歴蓄積部１９に記録し（Ｓ３４１）、Ｓ３１０へ戻り、次のイベント待ち状態となる。
【００４１】
Ｓ３２０において、所定の要求元（プレゼンス情報の送信を許可する相手）からプレゼンス情報の送信を要求するコマンドを受信した場合（Ｓ３２０，ＹＥＳ）、端末制御部１０は、位置情報取得部１３およびプレゼンス情報生成部１８を起動し、本端末１の現在位置情報、および現在処理中のイベントまたは最新の処理したイベントに関する情報を含むプレゼンス情報を要求元へ送信し（Ｓ３２１）、Ｓ３１０へ戻り、次のイベント待ち状態となる。
【００４２】
なお、Ｓ３２１において、要求元へ送信するプレゼンス情報に含まれる現在処理中のイベントまたは最新のイベントに関する情報の選択は、現在処理中のイベントが有ればその処理中イベントに関する情報を選択し、現在処理中のイベントが無ければ、プレゼンス履歴蓄積部１９に蓄積されている内の最新のイベントに関する情報を選択する。これにより、要求元は、本端末１が何らかのイベントを現在処理中か否かの状況が分かると共に、本端末１が何らかのイベントを現在処理中でなくとも最新の状況が分かる。
【００４３】
また、Ｓ３２０において、所定の要求元からプレゼンス履歴蓄積部１９に蓄積されているプレゼンス情報の全てまたは一部の情報の送信を要求するコマンドを受信した場合、Ｓ３２１において、プレゼンス履歴蓄積部１９に蓄積されている過去のプレゼンス情報の内、要求元が要求するプレゼンス情報を抽出し、要求元へ送信する。
【００４４】
以上説明した通り、本発明によれば、現在実行中の処理中情報（発生したイベントに関する情報）と現在位置情報を含むプレゼンス情報を、所定の通知先へ自動的に送信することが可能な無線端末を提供することが出来る。
【００４５】
ところで、本実施形態において、プレゼンス情報の通知先として、プレゼンスサーバ５を例に説明したが、プレゼンス情報の通知先は任意であり、例えば、上司のパーソナルコンピュータや携帯端末へ直接的に送信するようにしてもよい。また、プレゼンス情報の送信手段は、一般的な電子メール通信方式や専用のデータ通信方式等、種々の通信方式が適用可能であることは言うまでもない。
【符号の説明】
【００４６】
１・・・無線端末
２・・・ＷＡＮ（Ｗｉｄｅ  Ａｒｅａ  Ｎｅｔｗｏｒｋ）
３・・・オフィス
４・・・ゲートウェイ
５・・・プレゼンスサーバ
６・・・パーソナルコンピュータ
７・・・ＬＡＮ（Ｌｏｃａｌ  Ａｒｅａ  Ｎｅｔｗｏｒｋ）
１０・・・端末制御部
１１・・・無線通信部
１２・・・アプリケーションソフト蓄積部
１３・・・位置情報取得部
１４・・・操作部     
１５・・・表示部
１６・・・通話部
１７・・・検出対象イベント登録部
１８・・・プレゼンス情報生成部
１９・・・プレゼンス履歴蓄積部
【図１】
2015100089.tif 000003
【図２】
2015100089.tif 000004
【図３】
2015100089.tif 000005